【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
少なくとも１の顧客からデータを受け取り可能な企業ビジネス・プロセス・サーバと、
前記企業ビジネス・プロセス・サーバによりアクセス可能なインタフェースと、
前記企業ビジネス・プロセス・サーバによりアクセス可能な少なくとも１のルータと、
前記少なくとも１のルータによりアクセス可能な少なくとも１のビジネス・プロセスと
を備え、
前記企業ビジネス・プロセス・サーバは、前記ルータを介して前記少なくとも１のビジネス・プロセスにアクセスし、前記顧客データの少なくとも一部分について前記少なくとも１のビジネス・プロセスを実行し、かつ前記少なくとも１のビジネス・プロセスの機能としてビジネス・プロセス出力データを生成するように、構築され、
前記インタフェースは、前記企業ビジネス・プロセス・サーバに動作してプロセス・デザイナ・インタラクティブ・ページを出力し、
前記プロセス・デザイナ・インタラクティブ・ページは、少なくとも１のビジネス・プロセスに関する命令を受け取り、プロセス情報データを生成し、かつ前記プロセス情報データを前記企業ビジネス・プロセス・サーバに供給するように、構築され、
前記企業ビジネス・プロセス・サーバは、前記プロセス情報データに基づいて前記ビジネス・プロセス用の命令セットを構築する、
企業ビジネス・プロセス管理システム。
【請求項２】
前記命令セットは、ソース・コード・ファイルである請求項１記載のシステム。
【請求項３】
前記少なくとも１の顧客は、少なくとも１の付加的なサーバを備えた請求項１記載のシステム。
【請求項４】
前記ビジネス・プロセスに関する命令は、選択命令、定義命令及びリンク命令を有するグループから選択される請求項１記載のシステム。
【請求項５】
少なくとも１の前記企業ビジネス・プロセス・サーバおよび前記少なくとも１の顧客に関して存在する少なくとも１のビジネス・アプリケーションを更に備え、
前記ビジネス・アプリケーションは、前記ビジネス・プロセスを備えた
請求項１記載のシステム。
【請求項６】
前記少なくとも１のビジネス・プロセスと前記企業ビジネス・プロセス・サーバとの間に少なくとも１の接続を更に備え、
前記接続は、前記ビジネス・プロセスに対する入力データをマッピングし、かつ前記ビジネス・プロセスの動作に対応する前記ビジネス・プロセスからの出力データをマッピングする請求項５記載のシステム。
【請求項７】
前記少なくとも１のビジネス・プロセスは、少なくとも１のデータ処理機能を備えた請求項５記載のシステム。
【請求項８】
前記少なくとも１のビジネス・プロセスによりアクセス可能な少なくとも１のデータ処理機能を更に備えた請求項１記載のシステム。
【請求項９】
前記プロセス・デザイナ・インタラクティブ・ページは、更に、前記少なくとも１のデータ処理機能に関する命令を受け取り、機能情報データを生成し、かつ前記企業ビジネス・プロセス・サーバに前記機能情報データを提供するように構築され、
前記企業ビジネス・プロセス・サーバは、少なくとも１つの前記プロセス情報データ及び前記機能情報データに基づいて前記ビジネス・プロセスのために前記命令セットを構築する請求項８記載のシステム。
【請求項１０】
前記機能命令は、選択命令、定義命令及びリンク命令を含むグループから選択される請求項９記載のシステム。
【請求項１１】
前記少なくとも１のデータ処理機能と前記少なくとも１のビジネス・プロセスとの間に少なくとも１の接続を備え、
前記接続は、前記データ処理機能に入力データをマッピングし、かつ前記データ処理機能の動作に対応する前記データ処理機能からの出力データをマッピングする、請求項８記載のシステム。
【請求項１２】
前記少なくとも１のビジネス・プロセスは、データ品質分析プロセスである請求項１記載のシステム。
【請求項１３】
前記少なくとも１のビジネス・プロセスは、データ品質分析プロセス、バイオメトリック分析プロセス、写真イメージ分析プロセス、規制コンプライアンス分析プロセス、税金割り当て分析プロセス、製品比較分析プロセス及びデータ変換分析プロセスを有するグループから選択される請求項１記載のシステム。
【請求項１４】
前記少なくとも１のビジネス・アプリケーションは、複数のビジネス・プロセスを備え、かつ
前記企業ビジネス・プロセス・サーバは、前記複数のビジネス・プロセスのうちの少なくとも一つを選択し、かつ実行するように構築された、
請求項５記載のシステム。
【請求項１５】
前記少なくとも１のビジネス・アプリケーションは、複数のビジネス・アプリケーションであることを含み、
前記少なくとも１のビジネス・プロセスは、複数のビジネス・プロセスであることを含み、
前記企業ビジネス・プロセス・サーバは、前記複数のビジネス・アプリケーション及び前記複数のビジネス・プロセスのうちの少なくとも一つを選択し、かつ実行するように構築された、
請求項５記載のシステム。
【請求項１６】
前記プロセス・デザイナ・インタラクティブ・ページは、プロセス定義領域を備え、
前記プロセス定義領域は、ビジネス・プロセス識別子、入力識別子により識別される少なくとも１の入力フィールド、及び出力識別子により識別される少なくとも１の出力フィールドを備え、
前記入力識別子、前記ビジネス・プロセス識別子、及び前記出力識別子は、ドラッグ及びドロップ機能を介して互いに接続可能とされた、
請求項１記載のシステム。
【請求項１７】
前記プロセス定義領域は、更に、
プロセス入力領域、
プロセス・ステップ定義領域、及び
プロセス出力領域を備え、
前記入力識別子は、ドラッグ及びドロップ機能を介して前記プロセス入力領域に挿入可能とされ、
前記ビジネス・プロセス識別子は、ドラッグ及びドロップ機能を介して前記プロセス・ステップ定義領域に挿入可能とされ、
前記出力識別子は、ドラッグ及びドロップ機能を介して前記プロセス出力領域に挿入可能とされ、
前記入力識別子、前記ビジネス・プロセス識別子、及び前記出力識別子は、ドラッグ及びドロップ機能を介してリンクにより互いに接続可能とされた、
請求項１６記載のシステム。
【請求項１８】
前記プロセス・デザイナ・インタラクティブ・ページは、プロセス定義領域を備え、
前記プロセス定義領域は、機能識別子により識別される少なくとも１のデータ処理機能、入力識別子により識別される少なくとも１の入力フィールド、及び出力識別子により識別される少なくとも１の出力フィールドにより識別される少なくとも１のデータ処理機能を備え、
前記入力識別子、前記機能識別子、及び前記出力識別子は、ドラッグ及びドロップ機能を介して互いに接続可能とされた、
請求項９記載のシステム。
【請求項１９】
前記プロセス定義領域は、更に、
機能入力領域、
機能定義領域、及び
機能出力領域を備え、
前記入力識別子は、ドラッグ及びドロップ機能を介して前記機能入力領域に挿入可能とされ、
前記ビジネス・プロセス識別子は、ドラッグ及びドロップ機能を介して前記機能定義領域に挿入可能とされ、
前記出力識別子は、ドラッグ及びドロップ機能を介して機能出力領域に挿入可能とされ、かつ
前記入力識別子、前記機能識別子、及び前記出力識別子は、ドラッグ及びドロップ機能を介してリンクにより互いに接続可能とされた、
請求項１８記載のシステム。
【請求項２０】
前記命令セットは、前記企業ビジネス・プロセス・サーバによりテストされ得る請求項１記載のシステム。
【請求項２１】
前記企業ビジネス・サーバによりアクセス可能な少なくとも１の付加的ルータを更に備え、
前記少なくとも１の付加的ルータ及び前記少なくともルータは相互交換可能である請求項１記載のシステム。
【請求項２２】
前記少なくとも１のルータは、前記少なくとも１のビジネス・プロセスにアクセスし、
前記少なくとも１の付加的ルータは、前記少なくとも１のビジネス・プロセスと異なる付加的ビジネス・プロセスにアクセスする請求項２１記載のシステム。
【請求項２３】
ビジネス・プロセスを作成又は変更する要求を受け取り、前記ビジネス・プロセスは少なくとも１の機能にアクセスし、
前記要求に応答して、プロセス・デザイナ・インタラクティブ・ディスプレイを提供し、
前記プロセス・デザイナ・インタラクティブ・ディスプレイに関連して、前記機能を含むライブラリを保持し、
前記機能に係わる命令を、前記プロセス・デザイナ・インタラクティブ・ディスプレイを介して受け取り、前記機能に係わる命令は、少なくとも１の機能入力、機能出力、前記機能に対する入力接続、前記機能からの出力接続、及び機能設定を備え、
前記プロセス・デザイナ・インタラクティブ・ディスプレイを介して、前記機能命令のグラフィカル表現を出力し、
前記機能と前記機能命令に基づいて前記ビジネス・プロセスのための命令セットをアセンブリする、
企業ビジネス・プロセス管理方法。
【請求項２４】
前記命令セットは、ソース・コード・ファイルである請求項２３記載の方法。
【請求項２５】
前記命令セットの動作テストを更に備えている請求項２３記載の方法。
【請求項２６】
前記ビジネス・プロセスは、データ品質プロセスである請求項２３記載の方法。
【請求項２７】
前記少なくとも１のビジネス・プロセスは、データ品質分析プロセス、生物学的な分析プロセス、規制コンプライアンス分析プロセス、税金割り当て分析プロセス、製品比較分析プロセス、及びデータ変換分析プロセスを有するグループから選択される請求項２３記載の方法。
【請求項２８】
前記少なくとも１の機能は、複数の機能であることを含む請求項２３記載の方法。
【手続補正２】
【補正対象書類名】明細書
【補正対象項目名】発明の名称
【補正方法】変更
【補正の内容】
【発明の名称】企業ビジネス・プロセス管理システムおよび方法
【手続補正３】
【補正対象書類名】明細書
【補正対象項目名】００５８
【補正方法】変更
【補正の内容】
【００５８】
プロセッサ２１０は、実際にはまたはそれ１以上のプロセッサのように実施されてもよい。プロセッサ２１０は、メモリ２２０からフェッチされた命令に基づいて、他の構成要素２２０〜２５０の動作を制御するように動作してもよい。制御は、例えば中央処理装置、又は他の同様の装置におけるプロセッサ２１０により実行されてもよいことを理解すべきである。同様に、プロセッサ２１０及びメモリ２２０は、ユーザ・インタフェース２４０がローカル端末１１２及びリモート端末１１３のように、ユーザ端末において実行されるのを可能とし、かつ端末のスクリーン上にグラフィカル・ユーザ・インタフェース（ＧＵＩ）を含むネットワークに接続された１またはそれ以上のサーバを介して実行されてもよい。